(57)【特許請求の範囲】
【請求項１】
第１の建材に固定されるべき固定面部と、該固定面部の両側から曲折して略垂直に伸びる一対の支持部と、該支持部の双方において同位置に形成された、前記指示部の周縁部に開口を備えた軸掛顎部及び前記支持部を貫通する軸挿通孔とを有し、
前記支持部における前記固定面部から伸びる２つの端縁部は、その延伸方向に進むに従って前記固定面部に対して傾斜した形状を備え、
前記端縁部の傾斜方向に傾斜配置されるべき第２の建材の端部に前記支持部を収容した状態で、前記軸掛顎部及び前記挿通孔に挿通される係合軸を介して係合可能に構成され、
前記支持部には、２つの前記端縁部のそれぞれに開口を備えた２つの軸掛顎部が設けられ、
前記支持部における前記端縁部の傾斜により前記固定面部に対して張り出した側の最も先端部に、前記端縁部の傾斜角度を低減したカット部が設けられていることを特徴とする建材接続金具。
【請求項２】
第１の建材に固定されるべき固定面部と、該固定面部の両側から曲折して略垂直に伸びる一対の支持部と、該支持部の双方において同位置に形成された、前記指示部の周縁部に開口を備えた軸掛顎部及び前記支持部を貫通する軸挿通孔とを有し、
前記支持部における前記固定面部から伸びる２つの端縁部は、その延伸方向に進むに従って前記固定面部に対して傾斜した形状を備え、
前記端縁部の傾斜方向に傾斜配置されるべき第２の建材の端部に前記支持部を収容した状態で、前記軸掛顎部及び前記挿通孔に挿通される係合軸を介して係合可能に構成され、
前記支持部には、２つの前記端縁部のそれぞれに開口を備えた２つの軸掛顎部が設けられ、
前記固定面部と前記端縁部の一方とが鋭角で交差する角部に、前記端縁部の傾斜角度を低減したカット部が設けられていることを特徴とする建材接続金具。
【請求項３】
前記支持部には、前記２つの軸掛顎部の中間部に配置された前記軸挿通孔と、前記２つの軸掛顎部を通過する垂直線上から外れた位置に形成された軸挿通孔とが設けられていることを特徴とする請求項１又は２に記載の建材接続金具。
【発明の詳細な説明】
【０００１】
【発明の属する技術分野】
本発明は建築物に使用する建材を相互に連結するために用いる建材接続金具に関する。
【０００２】
【従来の技術】
従来から、木造家屋の建築に用いる木材、鋼材等の建材を相互に接続するための建材接続金具が用いられており、特に、木材を接続することによって木造軸組工法における人件費の削減、工期の短縮、耐震強度の向上、耐久性の改善等が図られている。
【０００３】
上記建材接続金具には、一方の木材（例えば柱）にボルト等によって固定される固定面部と、この固定面部の両側を略垂直に折曲して形成され、固定面部に対して直交する方向に突出する一対の支持部とを備え、支持部の上端縁に開口を備えた軸掛顎部と、支持部を貫通する軸挿入孔とが形成されたものがある。
【０００４】
この建材接続金具においては、接続する他方の木材（例えば梁）の端部に２条の割り溝を形成し、この２条の割り溝の間の先端部分を僅かに切り落として凹部を設ける。そして、この他方の木材の端部に、上記割り溝を貫通するように水平方向に２つ以上の軸孔を形成し、一方の軸孔にはボルト等により固定された係合軸を予め挿通しておく。
【０００５】
このように加工した他方の木材の端部を上記建材接続金具の上方から落とし込み、上記支持部が割り溝に挿入されるようにする。すると、上記係合軸は上記軸掛顎部に嵌合するため、一方の木材と他方の木材とが相互に係合される。最後に他方の木材に予め形成されていた軸孔にボルトやピン等の固定軸を通して上記軸挿通孔に挿通することによって、両木材を完全に固定する。
【０００６】
上述のような建材接続金具によると、木造軸組工法において、従来のようなホゾ等による接続構造を用いる必要がなくなるため、墨付けや穴加工等が不要となり、木材の端部に施す簡単な加工作業だけで熟練者に頼ることなく容易に柱と梁等を接続でき、しかも、従来よりも高い強度を得ることができる。
【０００７】
【発明が解決しようとする課題】
ところが、上記の建材接続金具では、柱と梁のように相互に直交する木材間の接続は可能であるが、斜めに接続されるもの、例えば、登木を、棟木又は桁に対して接続をする場合には、木材が所定の角度で傾斜しているため、上記のような金具を使用することができない。
【０００８】
また、家屋の屋根部分の接続作業は家屋の強度上非常に重要な作用であるにも拘わらず、斜めに交差する木材間を接続するための建材接続金具として市販されているものは皆無であり、特に、登木の組込みは高所で作業することとなるために木材同士の接続作業はなおさら困難になるから、この部分の作業改善の遅れが全体の建築コストの増大や工期の延長を招いていた。
【０００９】
そこで本発明は上記問題点を解決するものであり、その課題は、登木等の斜めに取付けられる建材を適宜に接続できるようにした建材接続金具を提供することにある。
【００１０】
【課題を解決するための手段】
上記課題を解決するために本発明が講じた手段は、第１の建材に固定されるべき固定面部と、該固定面部の両側から曲折して略垂直に伸びる１対の支持部と、該支持部の双方において同位置に形成された、前記支持部の周縁部に開口を備えた軸掛顎部及び前記支持部を貫通する軸挿通孔とを設け、前記支持部における前記固定面部から伸びる２つの端縁部を、その延伸方向に進むに従って前記固定面部に対して傾斜した形状とし、前記端縁部の傾斜方向に傾斜配置されるべき第２の建材の端部に前記支持部を収容した状態で、前記軸掛顎部及び前記軸挿通孔に挿通される係合軸を介して係合可能に構成した建材接続金具である。
【００１１】
この建材接続金具によれば、第１の建材に固定面部を固定することによって登木等の傾斜した建材に対して容易に接続作業を行うことができるとともに、支持部の２つの端縁部が所定方向に傾斜しているため、第２の建材の傾斜角度が多少変化しても接続強度を確保できるとともに金具を第２の建材の外側にはみ出させることなく施工できる。
【００１２】
ここで、前記支持部における前記端縁部の傾斜により前記固定面部に対して張り出した側の最も先端部に、前記端縁部の傾斜角度を低減したカット部を設けることが好ましい。この場合には、カット部を設けることにより第２の建材の傾斜角度に対する金具の適用範囲を拡大することができるとともに、カット部による金具の支持強度の減少を抑制することができる。ここで、上記の前記固定面部に対して張り出した側とは、固定面部を垂直に伸びる姿勢とした場合に、固定面部に対する端縁部の傾斜によって支持部が固定面部に対して例えば図２に示すように下方に張り出すこととなったとき、下側を意味する。したがって、このとき、上記カット部は支持部の下側の端縁部の最も先端部に設けられていることになる。
【００１３】
また、前記固定面部と前記端縁部の一方とが鋭角で交差する角部に、前記端縁部の傾斜角度を低減したカット部を設けることが好ましい。この場合にも、カット部を設けることにより建材の傾斜角度に対する金具の適用範囲を拡大することができる。
【００１４】
さらに、前記支持部には、２つの前記端縁部のそれぞれに開口を備えた２つの軸掛顎部を設けることが望ましい。この場合には、接続金具を傾斜した第２の建材の上端に係合する場合と、第２の建材の下端に係合する場合とに兼用することができるので、接続金具の種類を低減することができる。
【００１５】
また、第１の建材に固定されるべき固定面部と、該固定面部の両側から曲折して略垂直に伸びる１対の支持部と、該支持部の双方において同位置に形成された、前記支持部の周縁部に開口を備えた第１の軸掛顎部、前記支持部の上部を貫通する第１の軸挿通孔、前記支持部の下部の前方に突出した部分において設けられた第２の軸掛顎部及び前記支持部の下部を貫通する第２の軸挿通孔とを設け、前記支持部の前記固定面部から伸びる上側の端縁部を、その延伸方向に進むに従って前記固定面部に対して上方に傾斜した形状とし、前記支持部の前記上側の端縁部の傾斜方向に傾斜配置されるべき第２の建材の端部に前記支持部の上部を収容した状態で、前記第１の軸掛顎部及び前記第１の軸挿通孔に挿通される係合軸を介して係合可能に構成し、略水平に配置されるべき第３の建材の端部に前記支持部の下部を収容した状態で、前記第２の軸掛顎部及び前記第２の軸挿通孔に挿通される係合軸を介して係合可能に構成する場合もある。
【００１６】
この場合には、固定面部を第１の建材に固定した状態で、下部の第２の軸掛顎部及び第２の軸挿通孔によって略水平に配置される第３の建材を接続することができ、さらに、上部の第１の軸掛顎部及び第１の軸挿通孔によって傾斜した第２の建材を固定することができるので、第１の建材に傾斜角の異なる２つの建材を容易に接続することができる。
【００１７】
ここで、前記支持部の上方に傾斜した前記上側の端縁部の最上部に傾斜角度を低減したカット部を設けることが好ましい。この場合には、カット部を設けることにより、上部の第１の軸掛顎部及び第１の軸挿通孔により接続できる第２の建材に対して、その傾斜角度のより広い範囲に対応可能な接続金具とすることができる。
【００１８】
【発明の実施の形態】
次に、添付図面を参照して本発明に係る建材接続金具の実施形態について説明する。以下には、後述する各種実施形態を木造軸組構造に適用し、木材間を接続するための金具として説明するが、本発明の建材接続金具は、木造建築物に限らず適用可能であり、鉄筋の梁や壁、鉄骨等にも取付けることが可能である。
【００１９】
図１には本発明に係る比較例を、図２には第１の実施形態を示してある。図１に示す比較例では、図１（ａ）に示す上部金具１０と、図１（ｃ）に示す下部金具２０との２種類用意して、上部金具１０は斜めに配置される木材の上端部を水平若しくは垂直に配置された木材に接続するためのものである。また、下部金具２０は斜めに配置される木材の下端部を水平若しくは垂直に配置された木材に接続するためのものである。図１（ａ）に示す上部金具１０は、図１（ｂ）に示すように厚手の鋼板を断面コ字状に折り曲げて形成したものであり、木材の側面上に固定されるように形成された固定面部１１と、この固定面部１１から前方に突出するように折り曲げ形成された一対の支持部１２，１２とから構成される。
【００２０】
固定面部１１には複数の固定孔１１ａが穿設されており、この固定孔１１ａにボルト等を挿通して木材に固定面部１１を密着させた状態に固定するようになっている。固定孔１１ａの数は上部金具１０の上下幅によって、２個乃至５個等の適宜の数が設けられる。図示の金具は４寸〜５寸角（１辺が１２０〜１５０ｍｍ）程度の角材に対応するように形成されたもので、固定孔１１ａは３つ設けられている。
【００２１】
一対の支持部１２，１２は相互に全く同様の形状に形成されており、それぞれ上端縁１２ａの先端側に開口部１３ａを備えた軸掛顎部１３と、この軸掛顎部１３の真下に穿設された軸挿通孔１４とが設けられている。この軸掛顎部１３及び軸挿通孔１４は、後述するように木材の先端部に取付けられたボルト軸、金属ピン等の軸材を嵌合したり挿入したりするためのものであり、それぞれ複数形成されていてもよい。
【００２２】
軸掛顎部１３を複数形成する場合には、支持部１２の上端部の前後にずれた位置に開口部が来るように相互に横にずらして形成する。また、軸挿通孔１４を複数設ける場合には、軸掛顎部１３の下方に垂直線上に複数並べるか、あるいは横方向にずれた位置に形成すればよい。いずれにしても軸掛顎部１３及び軸挿通孔１４は、接続する木材から受ける荷重を複数の軸係合部で負担して接続部分の剛性を高める目的で形成されるものであるから、複数の軸係合部に荷重がなるべく均等にかかるように設計されることが望ましい。
【００２３】
支持部１２の（固定面部１１から伸びる２つの端縁部である）上端縁１２ａと下端縁１２ｂとは、それぞれ所定の傾斜角度θを持つように形成されている。この角度は接続する木材の傾斜角度に合わせて形成されており、好ましくは、複数種類の木材の傾斜角度に適合するように、木材の傾斜角度範囲の下限より若干大きい程度の角度に設定される。例えば、適合させる傾斜角度が３寸勾配（水平距離：垂直距離＝１０：３）から矩勾配（４５度の傾斜）まで共通に使用できる金具にする場合には、３．５寸勾配〜４寸勾配程度の傾斜角度θとし、一方、その傾斜角度θで傾斜角度範囲の最低角度（例えば３寸勾配）の木材を接続しても金具が木材の上下幅内に収まるように金具の上下幅を設定する。
【００２４】
ここで、上部金具１０の支持部１２の下端縁の最下部には、下端縁の傾斜角度を低減してほぼ水平に形成されたカット部１５を設けてある。このカット部１５は、上記のように接続する木材の上下端から金具がはみ出さないようにしつつ、適合し得る木材の傾斜角度範囲をなるべく大きくするために設けられるものである。このカット部１５の存在により、後述するように上部金具１０の適応範囲が大きく拡大される。このカット部の形成幅は適宜に設定でき、また、その傾斜角は下端縁の他の部分の傾斜角度θより減少していればよく、水平にカットされている必要はない。さらに、カット部の縁部は曲線上に形成されていてもよい。
【００２５】
図１（ｃ）に示す下部金具２０は、上述の上部金具１０とほぼ同様の固定面部２１、支持部２２、軸掛顎部２３、軸挿通孔２４及びカット部２５を備えている。しかし、上部金具１０が固定面部１１から下方に伸びる上端縁１２ａ及び下端縁１２ｂを備えた支持部１２を有するのに対し、この下部金具２０では、固定面部２１から上方に伸びる上端縁２２ａ及び下端縁２２ｂを備えた支持部２２が形成されている点で異なる。また、カット部２５も、支持部２２の先端側の最上部に形成され、この場合には、軸掛顎部２３の開口部２３ａに相当する位置に形成されている。
【００２６】
図３は上記比較例における上部金具１０及び下部金具２０を木造軸組工法により形成する家屋に使用した状態を一部断面により示すものである。家屋の棟木Ａと桁Ｂとの間を登木Ｃが接続しており、桁Ｂは柱Ｄの上端に固定され、柱Ｄは陸梁Ｅによって接続されている。ここで、上部金具１０は棟木Ａと登木Ｃとを接続し、下部金具２０は登木Ｃと桁Ｂとを接続する。
【００２７】
図４はこれらの接続部の構造を示すために、棟木Ａと登木Ｃとの間の接続部を拡大して示す分解斜視図である。棟木Ａの側面には、上部金具１０の固定面部１１の固定孔１１ａに挿通したボルト１６により、固定面部１１を密着固定する。この場合、図３に示すように棟木Ａの両側面に２つの上部金具１０を背中合わせに取付ける場合には、両者を共通のボルトで締結することもできる。
【００２８】
一方、登木Ｃの先端部Ｃ１には、予めホゾ取り機等により縦に２つの割り溝Ｃ２，Ｃ２を形成し、次に、割り溝Ｃ２の間に位置する中央片部を溝切りカッタ等で切り落とし、凹部Ｃ３を形成する。このように加工した登木Ｃの先端部Ｃ１に対して、上記割り溝Ｃ２，Ｃ２を通過して両側面間を水平に貫通する軸孔Ｃ４，Ｃ５をボール盤等により穿設する。最後に、この軸孔のうちの一つの軸孔Ｃ４にボルト、ピン等の係合軸Ｃ６を挿通して固定する。
【００２９】
上記のようにして形成した登木Ｃの先端部Ｃ１を、棟木Ａに固定された上部金具１０に対して上方から落とし込み、２本の割り溝Ｃ２，Ｃ２が上部金具１０の一対の支持部１２，１２にそれぞれ収容され、同時に支持部１２の軸掛顎部１３に係合軸Ｃ６が係合するようにする。このようにして、上部金具１０を介して棟木Ａと登木Ｃとが連結されることとなる。最後に、登木Ｃに穿設された軸孔Ｃ５と、軸挿通孔１４とに、ボルト、ピン等の固定軸（図示せず）を挿通することにより、棟木Ａと登木Ｃとを完全に固定する。
【００３０】
図５は、棟木Ａと桁Ｂとの間に登木Ｃを接続する場合における、登木Ｃの傾斜角度φを変えた場合の様子を示すものである。上部金具１０及び下部金具２０の支持部１２，２２の形状は、登木Ｃの傾斜角度φに対して、同じ方向に傾斜する傾斜角度θを備えている。ただし、登木の傾斜角度φは支持部の傾斜角度θを中心とした所定の角度範囲内に収まっている必要がある。
【００３１】
また、上部金具１０及び下部金具２０の固定面部１１，２１における上下幅ｗは、金具を木材の継手部分から外部に露出しないようにするために登木Ｃの端部における上下幅ｄよりも小さくする必要がある。金具の露出は外観を悪化させるとともに他の構造物の障害にもなるからである。上下幅ｄに対して上下幅ｗが小さくなる程、接続強度が低下する一方で、後述する登木Ｃの傾斜角度φの適用範囲は大きくなる。
【００３２】
したがって、金具が木材の内部に収容される状態でなるべく広い範囲の登木の傾斜角度φに対応できるようにすることが望ましい。図５における破線Ｉは登木の傾斜角度φが支持部の傾斜角度θよりも小さい場合を、一点鎖線IIは登木の傾斜角度φが支持部の傾斜角度θと一致している場合を、点線III は登木の傾斜角度φが支持部の傾斜角度θより大きい場合を示す。
【００３３】
上記のように、金具の上下幅ｗは強度面の要請からあまり小さくすることはできないので、金具の登木に対する傾斜角度の適用範囲は必然的に小さくなる。これを回避する方法が、カット部１５，２５の形成である。この場合、カット部１５，２５を支持部の傾斜した側の最も先端部に設けることが、傾斜角度の適用範囲を大きくするために最も効率的であり、しかも、その形成位置は、金具の強度を最も低下させることのない位置である。このカット部の形成位置は、固定面部から伸びる２つの端縁部（上端縁と下端縁）の一方と、支持部の先端縁とが鋭角で交差する角部と表現することができる。このように支持部の鋭角に尖った角部における端縁部の傾斜角度を低減することにより、効果的に金具の適用範囲を拡大することができる。
【００３４】
カット部を設ける位置として、上記の位置の次に好ましい位置は、支持部における傾斜方向とは逆側の基部Ｓ（上部金具１０においては上端縁の最上部、下部金具２０においては下端縁の最下部）である。この基部Ｓにカット部を設けることにより、上記カット部１５，２５と全く同様に登木Ｃの傾斜角度φに対する適用範囲を広げることができる。ただし、この部分にカット部を設けると、必然的に固定面部１１，２１の固定面積が減少するとともに、支持部１２，２２の屈曲方向への変形強度が多少低下するため、上記カット部１５，２５を設けてもなお適用範囲が不足する場合のみ基部Ｓにカット部を設けることが望ましい。このカット部の形成位置は、固定面部から伸びる２つの端縁部（上端縁と下端縁）の一方と、固定面部とが鋭角で交差する角部と表現することができる。
【００３５】
上述の金具の傾斜角度φの適用範囲としては、金具の上下幅ｗ、支持部の傾斜角度θ、カット部の形成幅、支持部の突出長さ等によって様々であるが、例えば４寸角の木材に対して上下幅ｗ＝１２０ｍｍとし、登木の傾斜角度が３寸勾配から矩勾配までの範囲に適用できる金具を形成することができる。また、矩勾配以上の傾斜角の領域まで適用範囲を伸ばすことも容易にできる。
【００３６】
図２に示す第１の実施形態の接続金具３０は、上記図１に示す上部金具１０と下部金具２０との双方に使用できるようにしたものである。上述の金具と同様に固定面部３１には複数の固定孔３１ａが形成されている。固定面部３１の両側はそれぞれ前方に折り曲げられて突出する一対の支持部３２，３２が形成されている。この実施形態では、上端縁３２ａに開口部３３ａを備えた軸掛顎部３３に加えて、下端縁３２ｂに開口部３４ａを備えた軸掛顎部３４が設けられている。
【００３７】
また、各支持部３２にはそれぞれ軸挿通孔３５，３６，３７が形成され、軸挿通孔３５は上下の軸掛顎部３３，３４の中間部に形成され、軸挿通孔３６，３７は、軸掛顎部３３，３４を通過する垂直線上から外れた位置に形成されている。なお、この例では、軸挿通孔３６と３７は一つの垂直線上に配列されている。
【００３８】
この接続金具３０においては、上述と同様の位置に形成されたカット部３８を備えている。この接続金具３０を傾斜した木材の上端部に接続するために使用する場合には、カット部３８は支持部３２の下端縁の先端に形成されていることとなり、傾斜した木材の上端部に接続するために使用する場合には、カット部３８は支持部３２の上端縁の先端に形成されていることとなる。
【００３９】
なお、この実施形態では、固定面部３１の図示上端部から、支持部３２の図示上端縁の基部に亘ってもう一つのカット部３９が形成されている。このカット部３９は、接続金具３０を傾斜した木材の上端部に接続するために使用する場合には支持部３２の上端縁の基部に形成されていることとなり、接続金具３０を傾斜した木材の下端部に接続するために使用する場合には支持部３２の下端縁の基部に形成されていることとなる。
【００４０】
この接続金具３０は、上下に２つの軸掛顎部３３，３４を設けているため、上記のように傾斜した木材の上端部の接続にも下端部の接続にも使用することができるから、木材の傾斜角度に適合したものであれば、１種類の金具を用意するだけで傾斜した木材の接続ができる。図示の場合には、接続金具３０を傾斜した木材の上端部に接続するために使用する場合には軸掛顎部３３を使用することとなり、接続金具３０を傾斜した木材の下端部に接続するために使用する場合には軸掛顎部３４を使用することとなる。
【００４１】
また、接続金具３０を傾斜した木材の上端部に接続するために使用する場合には、軸掛顎部３３に木材の上端部に取付けたボルトやピン等の軸を係合させた後に、図示の軸挿通孔のうち軸挿通孔３５と３７にも軸を挿通させる。この場合に接続金具３０は木材から斜め下方への引張応力を受けるが、軸掛顎部３３、軸挿通孔３５及び固定面部３１側にずれた位置に形成された軸挿通孔３７の３か所で木材と接続金具３０とが係合されていることにより、斜め下方への引張応力を適度に分散させて負担することとなる。
【００４２】
一方、接続金具３０を傾斜した木材の下端部に接続するために使用する場合には軸掛顎部３４に木材の下端部に取付けた軸を係合させた後に、図示の軸挿通孔のうち軸挿通孔３５と３６に軸を挿通させる。この場合には接続金具３０は木材から斜め下方への押付応力を受けるが、軸掛顎部３４、軸挿通孔３５及び固定面部３１側にずれた位置に形成された軸挿通孔３６の３か所で木材と接続金具３０とが係合されていることにより、斜め下方への押付応力を適度に分散させて負担することとなる。
【００４３】
このように、接続金具３０では、上記比較例における金具と同様に所定範囲の異なる傾斜角度を持つ木材を連結することができるとともに、傾斜した木材の上端部又は下端部の取付けを取付位置に応じて配置された軸掛顎部及び軸挿通孔とによって行うことができるため、接続金具３０の種類をさらに低減することが可能になる。
【００４４】
図６（ａ）は、比較例の接続金具４０の構造を示すものである。この接続金具４０は、図６（ｂ）に示すように桁Ｂに対して登木Ｃと陸梁Ｅとを同時に接続するためのものである。固定面部４１には、７つの固定孔４１ａが形成され、これらの固定孔４１ａはボルトを挿通して桁Ｂの側面に金具を固定するためのものである。
【００４５】
この接続金具４０の固定面部４１からは、上記の実施形態と同様に同形の一対の支持部４２，４２が折り曲げ形成されており、これらの支持部は、斜め上方に伸びる上端縁４２ａと、ほぼ水平に伸びる下端縁４２ｂとを備えている。上端縁４２ａの先端寄りには軸掛顎部４３が形成され、さらにその軸掛顎部４３の開口部４３ａの近傍の上端縁の部分は、ほぼ水平にカットされたカット部４４が設けられている。
【００４６】
一方、支持部４２の下端縁４２ｂは、上端縁４２ａよりも前方に所定距離だけ長く形成されており、この下端縁４２ｂの先端部の上方にもう一つの軸掛顎部４５が形成されている。この軸掛顎部４５は上方に開口部４５ａを備え、上記軸掛け顎部４３とほぼ同様の形状に形成されている。さらに、上記軸掛顎部４３の下方で、軸掛顎部４３を通過する垂直線上に３つの軸挿通孔４６，４７，４８が形成されている。また、上記垂直線上から外れた位置に形成された軸挿通孔４９も形成されている。この位置にも複数の軸挿通孔を形成することができる。
【００４７】
この接続金具４０は、図６（ｂ）に示すように、上部に形成された軸掛顎部４３に登木Ｃの端部に取付けた係合軸を係合させ、さらに固定軸を軸挿通孔４６，４９に挿通させることによって、登木Ｃを桁Ｂに固定している。軸挿通孔４６，４９は、登木Ｃの傾斜角度に応じていずれかを選択して用いても良い。例えば、登木Ｃの傾斜角度が大きい場合には、軸挿通孔４６を使用せず、軸挿通孔４９のみを使用する。
【００４８】
下部に形成された軸掛顎部４５には、陸梁Ｅの端部に取付けた係合軸を係合させ、さらに固定軸を軸挿通孔４７，４８に挿通させることによって陸梁Ｄを桁Ｂに固定している。この場合、軸掛顎部の構造上、陸梁Ｅを先に係合させた後に登木Ｃを係合させる必要がある。
【００４９】
この接続金具４０によれば、その上端縁４２ａを傾斜させるとともにカット部４４を設けたことにより、上記の実施形態と同様に登木Ｃの傾斜角度に対してある程度の適用範囲を有するとともに、同時に陸梁Ｅをも桁Ｂに接続させることができるので、金具の取付け作業を省略することができ、組付作業の効率化及び作業時間の短縮を図ることができる。
【００５０】
図７には別の比較例を示す。この比較例の接続金具５０は、桁Ｂの上端面Ｂ５上に固定面部５１をボルト軸１６, １６によって固定することにより取り付けられる。この接続金具５０には左右２つの端縁５０ａ，５０ｂが固定面部５１に対して傾斜して形成された一対の支持部５２，５２が設けられている。この支持部５２には、支持部５２の上端に開口部５３ａを備えた軸掛顎部５３が形成され、また、軸掛顎部５３の左側と斜め下２ヶ所に軸挿通孔５４，５５，５６が穿設されている。
【００５１】
この接続金具５０では、軸掛顎部５３の開口位置が固定面部５１に対向する縁部に形成されている点が先の比較例と異なるが、他の構造はほぼ同等である。この比較例では、中折れ屋根の下部等において、図中一点鎖線Ｕに示すように登木を急角度（例えば矩勾配の２倍の傾斜角）で設置する必要がある場合に、登木を桁Ｂの上端面に支持させることができるので、接続部の安定性及び剛性を高めることができる。この場合、カット部５７を設けることによって、対応可能な登木の傾斜角度の最大値をさらに高く設定することができる。
【００５２】
また、接続金具の寸法は、先の実施形態を用いて登木を桁Ｂの側面に接続する場合、登木の傾斜角度が大きくなると登木の接続端面の上下幅はきわめて大きくなるので、接続金具の上下幅もこれに対応させて大きく形成する必要がある。これに対して、本比較例では、登木を桁Ｂの上端面に接続しているため、登木の傾斜角度が大きくても金具の寸法を大きく形成する必要がない。
【００５３】
なお、この接続金具５０は、図７の２点鎖線Ｗに示すように、比較的緩い傾斜角度を持つ登木に対しても接続が可能である。このように、本比較例においても広い範囲の登木の傾斜角度に対して適合させることができる。ここで、軸挿通孔５４，５５，５６は、登木の傾斜角度に応じて適宜１ヶ所乃至３ヶ所を使用する。例えば急傾斜の登木を接続する場合には軸挿通孔５５と５６にピンやボルト等の挿通軸を挿通して固定し、比較的緩い傾斜角の場合には軸挿通孔５４と５６に挿通軸を挿通して固定する。
【００５４】
【発明の効果】
以上説明したように本発明によれば、第１の建材に固定面部を固定することによって登木等の傾斜した建材に対して容易に接続作業を行うことができるとともに、支持部の端縁部が所定方向に傾斜しているため、第２の建材の傾斜角度が多少変化しても接続強度を確保できるとともに金具を第２の建材の外側にはみ出させることなく施工できる。
【００５５】
また、前記支持部における前記端縁部の傾斜により前記固定面部に対して張り出した側の最も先端部に端縁部の傾斜角度を低減したカット部を設けることによって、第２の建材の傾斜角度に対する金具の適用範囲を拡大することができるとともに、カット部による金具の支持強度の減少を抑制することができる。
【図面の簡単な説明】
【図１】本発明に係る建材接続金具の第１の実施形態の構造を示す上部金具の側面図（ａ）、上部金具の斜視図（ｂ）及び下部金具の側面図（ｃ）である。
【図２】本発明に係る建材接続金具の第２の実施形態の構造を示す側面図（ａ）及び斜視図（ｂ）である。
【図３】本発明に係る建材接続金具を用いた木造軸組構造を示す説明図である。
【図４】第１の実施形態の上部金具を用いた棟木と登木との接続部を示す拡大説明図である。
【図５】第１の実施形態の上部金具及び下部金具における登木の傾斜角度に対する適応性を示す説明図である。
【図６】本発明に係る建材接続金具の第３の実施形態の構造を示す側面図（ａ）及びこれを用いた接続部を示す拡大図（ｂ）である。
【図７】本発明に係る建材接続金具の第４の実施形態の構造及び使用態様を示す側面図である。
【符号の説明】
１０  上部金具
１１，２１，３１，４１  固定面部
１２，２２，３２，４２  支持部
１２ａ，２２ａ，３２ａ，４２ａ  上端縁
１２ｂ，２２ｂ，３２ｂ，４２ｂ  下端縁
１３，２３，３３，４３，４５  軸掛顎部
１３ａ，２３ａ，３３ａ，４３ａ，４５ａ  開口部
１５，２５，３８，３９，４４  カット部
２０  下部金具
３０，４０，５０  接続金具
【図１】
0003668541.tif 000002
【図２】
0003668541.tif 000003
【図３】
0003668541.tif 000004
【図４】
0003668541.tif 000005
【図５】
0003668541.tif 000006
【図６】
0003668541.tif 000007
【図７】
0003668541.tif 000008